(57)【特許請求の範囲】
【請求項１】
射出操作の都度、ゲートを開閉するバルブピンの頭部に有するピストンをシリンダー内で作動流体により往復動させてゲートと通ずるキャビティ内の溶融樹脂を閉塞して冷却固化させて成形できるようにした射出成形機において、前記ピストンのゲート側に向う作動流体の作動面と、この作動面と相対向するシリンダーの作動流体の流通路との間に設けた作動流体の排出量減少調節機構によりシリンダーの流通路よりの流通量をバルブピンの先端がゲート開口部に係入前より減少させてバルブピンのゲート係入速度を遅延させるようにして成ることを特徴とするバルブピンの速度制御装置。
【請求項２】
排出量減少調節機構は、ピストンのゲート側に向う作動面に突設する流量調節杆と、この流量調節杆と相対向するシリンダーのゲート側の一面に設けられる作動流体の流通路との間に形成され、前記流量調節杆が前記流通路内に係入する過程で流量を減少させることができるようにして成ることを特徴とする請求項１記載の射出成形機におけるバルブピンの速度制御装置。
【請求項３】
流量調節杆は、テーパー面などの凹状表面で形成して成ることを特徴とする請求項２記載の射出成形機におけるバルブピンの速度制御装置。
【発明の詳細な説明】
【技術分野】
【０００１】
本発明は、射出成形機に設けられるバルブピンのゲートに係入して溶融樹脂の射出操作を停止するための係入速度を遅延できるようにした射出成形機におけるバルブピンの速度制御装置及びバルブピンの速度制御方法に関する。
【背景技術】
【０００２】
射出成形機のキャビティに通ずるゲートは、射出された溶融樹脂の流出を防ぐために確固に閉塞されないと高精度の成形品が得られない。
【０００３】
ゲートを閉じる構成として幾多の構成が知られるが、一般的にはバルブピンが用いられている（例えば、特許文献１参照）。
【０００４】
そして、バルブピンを移動させる構成としては油圧又は空気圧などを用いてバルブピンの端部に設けられるピストンを金型内のシリンダー内に摺動自在に配設して射出成形操作に関連して摺動させ、バルブピンのピン先端をゲートに係入又は離開させている（例えば、特許文献２参照）。
【先行技術文献】
【特許文献】
【０００５】
【特許文献１】特開２００１−１７０９７７号公報
【特許文献２】特開２０１０−２６９５８５号公報
【発明の概要】
【発明が解決しようとする課題】
【０００６】
ところで、上述の特許文献２に開示されているバルブピンによるゲート閉塞又は離開は、一定速度で往復動するピストン操作に基づいて、バルブピンがゲートの閉止，解放が行われているので、高速作動が求められている現今にあっては、バルブピンが作動する閉塞時のゲートに対する閉塞速度は急速化せざるを得ず、概してゲートに急激に衝突する不都合を生じ、切損などの予期せぬ重大な故障が生ずるという問題があった。
【０００７】
本発明は叙上の点に着目して成されたもので、ピストンシリンダ構成の往復駆動を行うバルブピンのゲートを閉塞する際の作動速度を、ゲート近傍で遅延させてゲートへの確実な係入を補償してゲートとの急激な衝突などを回避できるようにした射出成形機におけるバルブピンの速度制御装置及びバルブピンの速度制御方法を得ることを目的とする。
【課題を解決するための手段】
【０００８】
この発明は下記の構成を備えることにより上記課題を解決できるものである。
【０００９】
（１）射出操作の都度、ゲートを開閉するバルブピンの頭部に有するピストンをシリンダー内で作動流体により往復動させてゲートと通ずるキャビティ内の溶融樹脂を閉塞して冷却固化させて成形できるようにした射出成形機において、前記ピストンのゲート側に向う作動流体の作動面と、この作動面と相対向するシリンダーの作動流体の流通路との間に設けた作動流体の排出量減少調節機構によりシリンダーの流通路よりの流通量をバルブピンの先端がゲート開口部に係入前より減少させてバルブピンのゲート係入速度を遅延させるようにして成ることを特徴とするバルブピンの速度制御装置。
【００１０】
（２）排出量減少調節機構は、ピストンのゲート側に向う作動面に突設する流量調節杆と、この流量調節杆と相対向するシリンダーのゲート側の一面に設けられる作動流体の流通路との間に形成され、前記流量調節杆が前記流通路内に係入する過程で流量を減少させることができるようにして成ることを特徴とする前記（１）記載の射出成形機におけるバルブピンの速度制御装置。
【００１１】
（３）流量調節杆は、テーパー面などの凹状表面で形成して成ることを特徴とする前記（２）記載の射出成形機におけるバルブピンの速度制御装置。
【発明の効果】
【００１３】
本発明によれば、バルブピンのゲートに対する往復動に際し、ゲートに近接するまではバルブピンは高速移動されるが、ゲート係入過程では低速となり遅延されるので、バルブピンが衝撃的にゲートに侵入することなく緩やかな低速で係入でき、従って、ゲートを破損することがなく、安心して成形操作を行わせることができる。
【００１４】
又、ゲートの低速化は、ピストンのシリンダー内での排出する作動流体の絞り構成で行えば良く、高価な部品を付設するなどの、面倒で手間な作業を省いて簡単に実施できる。
【００１５】
さらに、流通路へ排出される作動流体の排出量減少調節機構は、形状，構造を変えることにより流通量を変更でき、これによりバルブピンのゲート内での遅延速度を自由に変更できる。
【図面の簡単な説明】
【００１６】
【図１】本発明に係る射出成形機におけるバルブピンの速度制御装置の一実施例を示す主な構成と、その構成の要部の拡大部分を併記した断面図
【図２】同上の構成の作動過程を示す主な構成と、その要部の拡大部分を併記した断面図
【図３】同上の構成のバルブピンによるゲート閉塞過程を示す主な構成と、その要部の拡大部分を併記した断面図
【図４】同上構成において、ピストンに設けられる流量調節杆の流通路への作動過程を示す要部の過程図で、（ａ）作動始動時、（ｂ）作動過程時、（ｃ）最終段階時の構成を示す
【発明を実施するための形態】
【００１７】
以下に、本発明の一実施例を図面と共に説明する。
【実施例】
【００１８】
１は、射出成形機を構成する金型、２はキャビティに通ずるゲート、３は前記ゲート２を開閉するバルブピン、４は前記バルブピン３の基端に設けられるピストン、５は前記ピストン４が配設されるシリンダー、６は前記ゲート２に連通される溶融樹脂の流通する溶融樹脂流路を示し、射出成形機で射出操作される溶融樹脂が滞溜している。
【００１９】
前記シリンダー５にはピストン４を挟んで油圧又は空気圧などの作動流体が流入又は排出される流通路７，８が設けられている。
【００２０】
そして、一方の流通路８にはピストン４の作動面４ａと相対向するシリンダー５の対向面５ａに開口孔８ａを開口し、ピストン４の前記作動面４ａに設けられる流量調節杆９と係合可能となっていて、作動流体の排出量減少調節機構Ａを構成している。
【００２１】
そして、流量調節杆９と前記開口孔８ａとは、ピストン４がシリンダー５の対向面に近づくにつれて、流量調節杆９の先端が開口孔８ａの開口面に達するまでは、作動流体は開口孔８ａの開口面積に応じた流量で排出されるので、ピストン４は一定の高速度で移動するが、流量調節杆９が係入されると開口孔８ａは流量調節杆９の外周面との間隙部分ｇのみの開口面積となり、急激に流量は逓減し、これに伴いピストン４のシリンダー５内での移動速度は減じ、その結果、バルブピン３の先端はゲート２内に対し遅延した速度で係入される。
【００２２】
従って、バルブピン３の先端３ａは正しくゲート２内に係入されると共に、ゲート２を傷付けることはなく、反覆射出成形を行わせることができる。
【００２３】
なお、作動流体の排出量の排出量減少調節機構Ａの流量調節杆９の外周面は、テーパー面，Ｄ形面などの好みの凹状表面ｆを形成でき、流通路８との間隙部分ｇを形成できる。
【００２４】
さらに、詳細に作用を説明する。
【００２５】
射出成形機の射出操作に際し、溶融樹脂は金型１内に設けられた溶融樹脂流路６を通り、バルブピン３の外周を通り、ゲート２よりキャビティ内に射出され、所望の成形品を得ることができる。
【００２６】
ゲート２より溶融樹脂がキャビティ内に射出されると、バルブピン３の先端はゲート２内に係入されるが、この係入速度は、バルブピン３のピストン４がシリンダー５内での移動速度と連動しているので、閉塞作用に誤差を生じることはない。
【００２７】
即ち、ピストン４の作動流体の排出量減少調節機構Ａの流量調節杆９が流通路８の開口孔８ａ近くまで移動し、開口孔８ａ内に侵入すると、作動流体の流量は急速に絞られ、ピストン４の移動速度は低下する。
【００２８】
従って、このピストン４と連動するバルブピン３の先端はゲート２の開口近くで閉止速度は急速に減じ、ゲート２内を移動するバルブピン４の先端はゲート２内を緩やかな低速となって移動し、ゲート２を閉じることができる。
【００２９】
即ち、バルブピン３の先端はゲート２の開口端で急速に速度が低下し、ゲート２に対して緩やかな閉止操作を行わせることができる。
【００３０】
従って、急速な閉止速度による閉止が回避され、安全な低速での閉止が行われる。
【００３１】
なお、キャビティ内で成形された製品は、従来方法と同様にバルブピン３はゲート２より離れ、離型処理され、金型より離れて取り出される。
【００３２】
バルブピンを作動させるピストンは、作動流体のシリンダー内での作動圧で往復動させられ、ゲート２とのバルブピン３のゲート２への係合時以降において、排出量減少調節機構Ａによって自動的に低速化されるので、低速化のための特別な機構を付設する必要はなく、かつ繰り返し、反覆して行われる射出成形操作の下にバルブピン３は低速でゲート２の閉塞作用を行わせることができる。
【符号の説明】
【００３３】
１      金型
２      ゲート
３      バルブピン
３ａ    バルブピンの先端
４      ピストン
４ａ    作動面
５      シリンダー
５ａ    対向面
６      溶融樹脂流路
７，８  流通路
８ａ    開口孔
９      流量調節杆
Ａ      排出量減少調節機構
ｇ      間隙部分
ｆ      凹状表面
【図１】
0005646429.tif 000002
【図２】
0005646429.tif 000003
【図３】
0005646429.tif 000004
【図４】
0005646429.tif 000005